(57)【要約】【課題】電子黒板装置において、ユーザが文字等の書き込みと画像投影を同時に行うことを可能とする。【解決手段】電子黒板装置１は、ループ状のシート部材２と、シート部材２を回動させる駆動部と、この駆動部を制御する制御部と、この制御部に各種指令を与えるためユーザにより操作される操作部６と、上記各部を収容する枠体７を備える。枠体７は、シート部材２の一部を露出させるように開口７１が形成されている。シート部材２は、文字等の書き込みに適した表面のホワイトシート部２１及び画像投影に適した表面のスクリーン部２２を有する。制御部５は、ホワイトシート部２１及びスクリーン部２２を、ユーザにより操作部６を用いて設定された比率で枠体７の開口７１から露出させるように駆動部を制御する。そのため、ユーザがホワイトシート部２１とスクリーン部２２を同時に使用して、文字等の書き込みと画像投影を同時に行うことが可能となる。【選択図】図１
2009045868.tif 000002
【特許請求の範囲】
【請求項１】
文字等の書き込みに適した表面のホワイトシート部及び画像投影に適した表面のスクリーン部を有するループ状のシート部材と、
前記シート部材を張架する複数のローラと、
前記シート部材を周回方向に回動させるシート回動手段と、
前記シート回動手段を制御する制御手段と、
前記制御手段に各種指令を与えるためユーザにより操作される操作手段と、
前記シート部材、複数のローラ、シート回動手段、制御手段及び操作手段を収容すると共に、前記シート部材の一部を露出させるように開口が形成された枠体を備えた電子黒板装置において、
前記操作手段は、前記枠体から露出される前記シート部材のホワイトシート部とスクリーン部の比率を、該操作手段の操作により任意に設定可能とし、
前記制御手段は、ユーザにより前記操作手段を用いて設定された比率で前記ホワイトシート部及びスクリーン部を前記枠体の開口から露出させるように前記シート回動手段を制御し、
ユーザによる前記ホワイトシート部とスクリーン部の同時使用を可能とすることを特徴とする電子黒板装置。
【請求項２】
前記シート部材のスクリーン部の大きさは、前記枠体の開口と略等しいか又はそれよりも小さいことを特徴とする請求項１に記載の電子黒板装置。
【請求項３】
前記シート部材のスクリーン部は、前記ホワイトシート部に対して着脱可能に構成されていることを特徴とする請求項１又は請求項２に記載の電子黒板装置。
【発明の詳細な説明】
【技術分野】
【０００１】
本発明は、ユーザによるシート部材への文字等の書き込み及び画像投影を可能とする電子黒板装置に関する。
【背景技術】
【０００２】
従来から、ループ状のシート部材を備え、そのシート部材に、文字等の書き込みに適したホワイトボード画面と画像投影に適したスクリーン画面が設けられた電子黒板装置が知られている（例えば、特許文献１参照）。この装置においては、シート部材が回動されたとき、ホワイトボード画面は表面に現れてその裏面にスクリーン画面が位置し、又はスクリーン画面は表面に現れてその裏面にホワイトボード画面が位置する。
【０００３】
また、電子黒板装置ではないが、つや消しされ、画像投影に適した表面のシート部材が知られている（例えば、特許文献２参照）。このシート部材においては、つや消し加工のため、その表面に凹凸部が形成されている。従って、このシート部材に文字等を消去可能に筆記するためには、水分によりインクを消色可能な専用のマーカが必要とされる。
【０００４】
ところで、特許文献１に記載の技術では、ユーザが、シート部材への文字等の書き込みと、プロジェクタ等を用いた画像投影を同時に行うことは困難である。
【特許文献１】特開２００３−６０８２４号公報
【特許文献２】特開２０００−６２３９３号公報
【発明の開示】
【発明が解決しようとする課題】
【０００５】
本発明は、上記の従来の問題を解決するためになされたものであり、ユーザが文字等の書き込みと画像投影を同時に行うことを可能とする電子黒板装置を提供することを目的とする。
【課題を解決するための手段】
【０００６】
上記目的を達成するために請求項１の発明は、文字等の書き込みに適した表面のホワイトシート部及び画像投影に適した表面のスクリーン部を有するループ状のシート部材と、前記シート部材を張架する複数のローラと、前記シート部材を周回方向に回動させるシート回動手段と、前記シート回動手段を制御する制御手段と、前記制御手段に各種指令を与えるためユーザにより操作される操作手段と、前記シート部材、複数のローラ、シート回動手段、制御手段及び操作手段を収容すると共に、前記シート部材の一部を露出させるように開口が形成された枠体を備えた電子黒板装置において、前記操作手段は、前記枠体から露出される前記シート部材のホワイトシート部とスクリーン部の比率を、該操作手段の操作により任意に設定可能とし、前記制御手段は、ユーザにより前記操作手段を用いて設定された比率で前記ホワイトシート部及びスクリーン部を前記枠体の開口から露出させるように前記シート回動手段を制御し、ユーザによる前記ホワイトシート部とスクリーン部の同時使用を可能とするものである。
【０００７】
請求項２の発明は、請求項１に記載の電子黒板装置において、前記シート部材のスクリーン部の大きさは、前記枠体の開口と略等しいか又はそれよりも小さいものである。
【０００８】
請求項３の発明は、請求項１又は請求項２に記載の電子黒板装置において、前記シート部材のスクリーン部は、前記ホワイトシート部に対して着脱可能に構成されているものである。
【発明の効果】
【０００９】
請求項１又は請求項２の発明によれば、枠体の開口から、シート部材のホワイトシート部とスクリーン部が、ユーザにより設定された比率で露出されるので、ユーザによるホワイトシート部とスクリーン部の同時使用を可能とする。このため、ユーザは文字等の書き込みと画像投影を同時に行うことができる。
【００１０】
請求項３の発明によれば、スクリーン部はホワイトシート部に対して着脱可能であるので、ユーザが文字等を誤ってスクリーン部に書き込んだ場合であっても、スクリーン部を交換又は洗浄することで、その外観を良好に保つことができる。
【発明を実施するための最良の形態】
【００１１】
以下、本発明の第１の実施形態に係る電子黒板装置について図１乃至図４を参照して説明する。図１乃至図４は、第１の実施形態に係る電子黒板装置の構成を示す。この電子黒板装置１は、ループ状のシート部材２と、シート部材２を張架する複数本のローラ３と、複数本のローラ３のうちの少なくとも１本を回転させ、シート部材２を周回方向に回動させる駆動部４（シート回動手段）と、駆動部４を制御する制御部５（制御手段）と、制御部５に各種指令を与えるためユーザにより操作される操作部６（操作手段）と、シート部材２、複数本のローラ３、駆動部４、制御部５及び操作部６を収容する枠体７と、枠体７を支持する脚部８を備える。枠体７の前面には、シート部材２の一部を露出させるように開口７１が形成されている。ここで、枠体７の開口７１（以下、枠体開口７１という）における縦の長さをＨ、その横の長さをＷとする。
【００１２】
シート部材２は、文字等の書き込みに適した表面のホワイトシート部２１と、画像投影に適した表面のスクリーン部２２を有する。ホワイトシート部２１は、例えばポリエステルフィルムにより構成されており、その表面は滑らかであり、光沢がある。そのため、マーカ等により文字や図形、絵等を書き込み易い。また、イレーザによるそれらの消去が可能である。スクリーン部２２は、例えばポリエステルフィルムにより構成されており、その表面には、細かな凹凸が形成され、つや消し加工が施されている。そのため、プロジェクタ等による画像投影に適している。スクリーン部２２は、いわゆるホワイトマットタイプ、ビーズタイプ、パールタイプ又はファブリックタイプのいずれであってもよい。ホワイトシート部２１及びスクリーン部２２の構成は、上記に限定されない。
【００１３】
シート部材２の高さは、枠体開口７１の縦の長さＨより若干高いが、略同じである。その外周の長さは、枠体開口７１から露出される部分を１面としたときの複数面分の長さである。スクリーン部２２の形状は矩形であり、その大きさは枠体７の開口７１よりも若干大きいが略等しく、上記の１面分の大きさである。すなわち、スクリーン部２２の高さＨｓは、枠体開口７１の縦の長さＨよりも若干高いが、略同じである。また、その横の長さＷｓは、枠体開口７１の横の長さＷよりも若干長いが、略同じである。ホワイトシート部２１は、シート部材２において、スクリーン部２２以外の残りの部分を占める。
【００１４】
ローラ３は、シート部材２を張架しながらその一部を蛇腹状とし、シート部材２を枠体２に収納可能な大きさとするように配置されている。図２においては、ローラ３を例えば５本図示するが、その本数はこれに限定されない。駆動部４は、モータやモータの駆動力をローラ３に伝達するためのギア等により構成されている。
【００１５】
制御部５は、ＣＰＵを含むマイクロコンピュータにより構成されている。このマイクロコンピュータは、操作部６からの指令に基づいて、駆動部４のモータの回転量及び電源のＯＮ／ＯＦＦを制御する。上記モータの回転量制御により、シート部材２の回動が制御される。シート部材２の回動方向制御のため、操作部６からの指令に基づいてモータの回転方向も制御されることが望ましい。
【００１６】
操作部６は、複数のボタン６１や不図示のキー、又はタッチパネル等（以下、ボタン６１等という）により構成されている。これらのボタン６１等の操作により、枠体開口７１から露出されるシート部材２のホワイトシート部２１とスクリーン部２２の比率（以下、露出比率という）の設定、その設定の反映、シート部材２の面単位での送り及び電源のＯＮ／ＯＦＦ等が可能である。ボタン６１等の操作により、シート部材２の面単位での巻き戻しが可能であることが望ましい。操作部６は、操作内容に応じた指令を制御部５に送出する。
【００１７】
上記の露出比率は、露出されるホワイトシート部２１とスクリーン部２２の面積の比率であり、任意の数値に設定可能である。その設定は、例えば、数値の直接入力、又は予め定められた複数の数値からの選択によりなされる。また、上記の比率の設定及びその反映は、ボタン６１等の長押しにより、その押下げ時間分だけシート部材２を回動させることで実行されてもよい。この場合、シート部材２を両方向に回動可能であることが望ましい。
【００１８】
上記のように構成された電子黒板装置１において、ユーザが、ホワイトシート部２１とスクリーン部２２の露出比率を設定し、その設定を反映するため操作部６を操作したとき、操作部６は、その操作内容に応じた指令を制御部５に送出する。制御部５は、操作部６からの指令に基づいて駆動部４を制御し、シート部材２を回動させ、上記の設定が反映される位置でシート部材２を停止させる。その結果、ホワイトシート部２１とスクリーン部２２が、枠体開口７１から、設定された露出比率で露出される。従って、ユーザがホワイトシート部２１とスクリーン部２２を同時に使用して、文字等の書き込みと画像投影を同時に行うことが可能となる。
【００１９】
図５は、シート部材２の変形例を示す。本変形例のシート部材２は、第１の実施形態に比べ、スクリーン部２２の大きさが異なる。スクリーン部２２の大きさは枠体開口７１よりも小さく、その形状は例えば矩形である。スクリーン部２２の位置は、例えば、シート部材２において枠体開口７１から露出される部分を１面としたときのその面の左上端である。スクリーン部２２の位置はこれに限定されない。本変形例において、ホワイトシート部２１とスクリーン部２２の露出比率は、露出されるホワイトシート部２１とスクリーン部２２の面積の比率であっても、それらの横の長さの比率であってもよい。
【００２０】
次に本発明の第２の実施形態に係る電子黒板装置のシート部材について図６を参照して説明する。第２の実施形態に係る電子黒板装置の他の部分の構成は、第１の実施形態と同じであるので、その図示は省略する。図６は、第２の実施形態の電子黒板装置におけるシート部材２の構成を示す。シート部材２は、第１の実施形態に比べ、スクリーン部２２がホワイトシート部２１に対して着脱可能に構成されており、スクリーン部２２の大きさが枠体開口７１よりも小さい点で異なる。
【００２１】
スクリーン部２２のホワイトシート部２１と接続する部位には、ファスナーが設けられている。例えば、スクリーン部２２が、第１の実施形態の変形例と同じ形状を有し、同じ位置に在る場合、その両側端部、下端部にファスナーが設けられる。このファスナーを開け閉めすることにより、ホワイトシート部２１への着脱が可能となる。そのため、ユーザが文字等を誤ってスクリーン部２２に書き込んだ場合であっても、シート部材２全体を交換又は洗浄する必要はなく、スクリーン部２２を交換又は洗浄することで、その外観を良好に保つことができる。なお、本実施形態においても、第１の実施形態と同じ効果を奏することができる。
【００２２】
本発明は、上記第１及び第２の実施形態の構成に限定されるものでなく、使用目的に応じ、様々な変形が可能である。例えば、第２の実施形態において、スクリーン部２２は、第１の実施形態と同じ形状や大きさを有していてもよい。この場合、ファスナーは、スクリーン部２２の両側端部に設けられる。また、スクリーン部２２を着脱自在に構成するための部材は、ファスナーに限定されず、マジックテープ(登録商標)であっても構わない。
【図面の簡単な説明】
【００２３】
【図１】本発明の第１の実施形態に係る電子黒板装置の斜視図。
【図２】（ａ）は上記電子黒板装置の枠体内部の斜視図、（ｂ）はその平面図。
【図３】上記電子黒板装置の電気的構成図。
【図４】（ａ）は上記電子黒板装置の枠体部分の正面図、（ｂ）は同電子黒板装置のシート部材の正面図。
【図５】上記シート部材の変形例の正面図。
【図６】本発明の第２の実施形態に係る電子黒板装置のシート部材の正面図。
【符号の説明】
【００２４】
１  電子黒板装置
２  シート部材
２１  ホワイトシート部
２２  スクリーン部
３  ローラ
４  駆動部（シート回動手段）
５  制御部（制御手段）
６  操作部（操作手段）
７  枠体
７１  開口
【図１】
2009045868.tif 000003
【図２】
2009045868.tif 000004
【図３】
2009045868.tif 000005
【図４】
2009045868.tif 000006
【図５】
2009045868.tif 000007
【図６】
2009045868.tif 000008